(57)【要約】【課題】画像表示ユニットの遊技機枠への取付装置の構造の簡単化を図る。【解決手段】画像表示ユニット１１の遊技機枠１への取付装置として、画像表示ユニット１１を左右方向に移動可能でかつ前後方向に移動不能となるように摺接係合させる上下に相対峙するレール８；９が可動枠３の後部に設けられればよいので、画像表示ユニット１１の遊技機枠１への取付装置の構造が簡単であり、画像表示ユニット１１がレール８；９に嵌め込まれて可動枠３の後部に取り付けられることによって、画像表示ユニット１１の表示画面が可動枠３の前方から透視開口部７を通して視認可能になる。【選択図】図１
2009060956.tif 000002
【特許請求の範囲】
【請求項１】
固定枠の前部には可動枠が開閉可能に設けられ、可動枠には前方に開口し前後方向に奥行の有る箱形に構成された盤収容室が設けられ、盤収容室の後壁には画像表示ユニットの表示画面を見せるための透視開口部と画像表示ユニットを左右方向に移動可能でかつ前後方向に移動不能となるように摺接係合させる上下に相対峙するレールとが設けられたことを特徴とするパチンコ遊技機の遊技機枠。
【発明の詳細な説明】
【技術分野】
【０００１】
本発明は、画像表示ユニットの遊技機枠への取付装置の構造が簡単なパチンコ遊技機の遊技機枠に関する。
【背景技術】
【０００２】
図８は、特許文献１で開示されたパチンコ遊技機の遊技機枠５１を示す。図８において遊技機枠５１が固定枠５２と可動枠５３とを備え、画像表示収容部５４と払出ユニット５５とが可動枠５３の後部に設けられ、画像表示ユニット５６が可動枠５３の画像表示収容部５４に収容され、払出ユニット５５が閉じられることによって、画像表示ユニット５６が可動枠５３の後部に装着されるようになっている。しかしながら、画像表示ユニット５６を可動枠５３に取り付けるために、払出ユニット５５と画像表示収容部５４とが可動枠５３の後部に設けられるので、画像表示ユニット５６の遊技機枠５１への取付装置の構造が複雑であるという欠点がある。
【特許文献１】特開２００５−１３１３２８号公報
【発明の開示】
【発明が解決しようとする課題】
【０００３】
発明が解決しようとする問題点は、画像表示ユニットの遊技機枠への取付装置の構造が複雑という点である。
【課題を解決するための手段】
【０００４】
本発明に係るパチンコ遊技機の遊技機枠は、固定枠の前部には可動枠が開閉可能に設けられ、可動枠には前方に開口し前後方向に奥行の有る箱形に構成された盤収容室が設けられ、盤収容室の後壁には画像表示ユニットの表示画面を見せるための透視開口部と画像表示ユニットを左右方向に移動可能でかつ前後方向に移動不能となるように摺接係合させる上下に相対峙するレールとが設けられたことを最も主要な特徴とする。
【発明の効果】
【０００５】
本発明に係るパチンコ遊技機の遊技機枠は、画像表示ユニットの遊技機枠への取付装置として、画像表示ユニットを左右方向に移動可能でかつ前後方向に移動不能となるように摺接係合させる上下に相対峙するレールが可動枠の後部に設けられればよいので、画像表示ユニットの遊技機枠への取付装置の構造が簡単であるという利点がある。
【発明を実施するための最良の形態】
【０００６】
図１は、パチンコ遊技機の遊技機枠１と画像表示ユニット１１とを分解して示す。図２は、パチンコ遊技機の遊技機枠１に画像表示ユニット１１の組み立てられた形態を示す。図３は、可動枠３およびレール８；９を分解して示す。図４は、レール８に対する画像表示ユニット１１の姿勢制御を示す。本明細書において、「前」、「後」、「左」、「右」、「上」、「下」の方向は、図１の状態に遊技機枠１および画像表示ユニット１１を置いて矢印Ｓで示す前方から見た場合に特定される方向である。
【０００７】
図１を参照し、パチンコ遊技機の画像表示装置について説明する。パチンコ遊技機の画像表示装置は、遊技機枠１と画像表示ユニット１１とを備える。可動枠３が左側のヒンジ４を中心として開閉可能に構成され、画像表示ユニット１１が右から左方向に移動されることによって可動枠３に取り付けられ、画像表示ユニット１１が左から右方向に移動されることによって可動枠３から取り外される。
【０００８】
遊技機枠１は、固定枠２の前部に可動枠３を開閉可能に備える。固定枠２は、遊技機設置設備に固定される外枠とも呼ばれる。遊技機設置設備は、パチンコ遊技機を設置する遊技店の島と呼ばれる設備である。可動枠３は、左側部に位置するヒンジ４を中心とし、固定枠２の前部において前方に開かれかつ後方に閉じられるように片開き可能な前枠とも呼ばれる。
【０００９】
可動枠３は、発射取付部５および盤収容室６を備える。盤収容室６は、前方に開口し、前後方向に奥行の有る箱形に構成される。発射取付部５には、図外の発射機構が取り付けられる。盤収容室６の後壁には、透視開口部７とレール８；９が設けられる。透視開口部７は、画像表示ユニット１１における方形な表示画面を見せるためのものであって、画像表示ユニット１１の表示画面と対応する方形な前後方向への貫通孔として構成される。レール８；９は、上下に相対峙し、盤収容室６の後部に固定され、画像表示ユニット１１を左右方向に移動可能でかつ前後方向に移動不能となるように摺接係合させる構造である。
【００１０】
画像表示ユニット１１は、画像表示器１２が表示容器１３に収容され、画像表示器１２の表示画面が画像表示ユニット１１の表示画面を構成しかつ表示容器１３の前方から見える構造である。画像表示器１２は、液晶表示器などの面状表示器により構成される。表示容器１３は合成樹脂から構成される。表示容器１３の上縁部および下縁部には、滑動部１４；１５が設けられる。
【００１１】
滑動部１４は、スライド突起１６；１７および姿勢制御突起１８を備える。スライド突起１６；１７は、滑動部１４の左右端部に個別に配置され、レール８に前後方向にがたつくことなく左右方向に移動し得るように嵌め込まれる。姿勢制御突起１８は、スライド突起１６の前部とスライド突起１７の後部とに繋がる板状であって、左右方向中間部が左側から右側に行くにしたがって徐々に前方から後方に配置される傾斜部を構成する。
【００１２】
滑動部１５は、スライド突起１９；２０および姿勢制御突起２１を備える。スライド突起１９；２０は、滑動部１５の左右端部に個別に配置され、レール９に前後方向にがたつくことなく左右方向に移動し得るように嵌め込まれる。姿勢制御突起２１は、スライド突起１９の前部とスライド突起２０の後部とに繋がる板状であって、左右方向中間部が左側から右側に行くにしたがって徐々に前方から後方に配置される傾斜部を構成する。
【００１３】
画像表示ユニット１１の可動枠３への着脱の仕方について説明する。この着脱は機械で行うことも可能であるが、手作業で行う場合を例として説明する。画像表示ユニット１１が可動枠３に取り付けられる場合、図１に示すように、作業者が画像表示ユニット１１を手で持ち、画像表示ユニット１１の表示画面が前方に向けられ、画像表示ユニット１１の左側部が可動枠３の右側部に向けられる。そして、滑動部１４がレール８の右側部に嵌め込まれ、滑動部１５がレール９の右側部に嵌め込まれる。つまり、画像表示ユニット１１の左側部が、左右方向に移動可能でかつ前後方向に移動不能となるように、レール８；９に装着される。
【００１４】
次に、図２に示すように、画像表示ユニット１１が右から左方向に移動させられることによって可動枠３の後部に取り付けられ、画像表示ユニット１１の表示画面が透視開口部７と対向する。これによって、画像表示ユニット１１の表示画面が可動枠３の前方から透視開口部７を通して視認可能になる。画像表示ユニット１１が可動枠３から取り外される場合、作業者が画像表示ユニット１１を手で持って図２に矢印Ｘ１で示すように左から右方向に移動すると、画像表示ユニット１１がレール８；９から右方向に引き抜かれて可動枠３の後部から取り外される。
【００１５】
図１において、画像表示ユニット１１の遊技機枠１への取付装置として、画像表示ユニット１１を左右方向に移動可能でかつ前後方向に移動不能となるように摺接係合させる上下に相対峙するレール８；９が可動枠３の後部に設けられればよいので、画像表示ユニット１１の遊技機枠１への取付装置の構造が簡単であるという利点がある。
【００１６】
画像表示ユニット１１が遊技機枠１の側方で可動枠３の後部のレール８；９に抜き差し可能に嵌め込めるので、画像表示ユニット１１が例えば２０インチなどの大形で重い液晶表示器などの画像表示器１２を用いた場合であっても、画像表示ユニット１１がレール８；９に嵌め込まれれば、下側のレール９が画像表示ユニット１１の重量を負担するので、作業者が大形で重い画像表示ユニット１１を可動枠３の後部に装着する場合であっても、作業者の負担を軽減できるという利点がある。
【００１７】
図３を参照し、可動枠３とレール８；９との取付装置について説明する。盤収容室６の後壁には、上レール取付部２５が、透視開口部７の上縁部の左右に配置され、盤収容室６から後方に突出した突起として設けられる。盤収容室６の後壁には、下レール取付部２６が、透視開口部７の下縁部の左右に配置され、盤収容室６から後方に突出した突起として設けられる。
【００１８】
レール８は、左右方向に直線的に延びた下向きの溝を構成する。レール８の下向きの溝は、レール８における上壁と前壁と後壁とによって囲まれ、下方および右方に開口する。レール８の左端部には、ストッパ２７および取付足２８が設けられる。ストッパ２７は、レール８の下向きの溝の左側開口を閉鎖するように、レール８から折り曲げられた部材である。取付足２８は、レール８の後壁の一部を上方に折り曲げられた部材であって、前後方向への貫通孔を備える。レール８の左側部には、取付足２９が設けられる。取付足２９は、レール８の前壁の一部を前方に折り曲げた後に下方に折り曲げた形状であって、下方に折り曲げられた部分に前後方向への貫通孔を備える。そして、ねじ釘３０がレール８の後方から取付足２８の貫通孔を経由して左側の上レール取付部２５に締結され、別のねじ釘３０がレール８の後方から取付足２９の貫通孔を経由して右側の上レール取付部２５に締結されることによって、レール８が透視開口部７の上縁部に配置されかつ可動枠３の後部に固定される。
【００１９】
レール９は、左右方向に直線的に延びた上向きの溝を構成する。レール９の上向きの溝は、レール９における下壁と前壁と後壁とによって囲まれ、上方および右方に開口する。レール９には、ストッパ３１および取付足３２が設けられる。ストッパ３１は、レール９の上向きの溝の左側開口を閉鎖するように、レール９の左端部から折り曲げられた部材である。取付足３２は、レール９の左右端部において、レール９の後壁の一部を下方に折り曲げられた部材であって、前後方向への貫通孔を備える。そして、ねじ釘３３がレール９の後方から取付足３２の貫通孔を経由して下レール取付部２６に締結されることによって、レール９が透視開口部７の下縁部に配置されかつ可動枠３の後部に固定される。
【００２０】
図４を参照し、レール８および滑動部１４を例とし、画像表示ユニット１１の姿勢制御について説明する。先ず、図４のａ図に示すように、滑動部１４のスライド突起１６がレール８の右側部に右側から嵌め込まれる。この場合、画像表示ユニット１１が可動枠３から後方にできるだけ離すことによって、滑動部１４がレール８に嵌めやすくなるので、画像表示ユニット１１の右側部が可動枠３から後方に離れるように、画像表示ユニット１１が全体的に斜めになることが多い。このように画像表示ユニット１１が全体的に斜めになったまま、スライド突起１６がレール８の右側部に右側から嵌め込まれた後、画像表示ユニット１１が矢印Ｘ２で示すように右から左方向に移動させられる。
【００２１】
次に、図４のｂ図に示すように、画像表示ユニット１１が右から左方向へ移動し、姿勢制御突起１８がレール８の後壁に接触しつつレール８の右から左側への進入量が増加するのに伴い、画像表示ユニット１１の右側部が後方から前方に移動する。つまり、画像表示ユニット１１が右から左方向への移動するのに伴い、画像表示ユニット１１の表示画面が可動枠３の前面に平行になる方向に、画像表示ユニット１１の姿勢が制御される。
【００２２】
そして、図４のｃ図に示すように、画像表示ユニット１１の右から左方向への移動が進行し、スライド突起１６および姿勢制御突起１８に続き、スライド突起１７がレール８に嵌め込まれると、画像表示ユニット１１の表示画面が可動枠３の前面に平行となり、画像表示ユニット１１の姿勢の制御が終了し、画像表示ユニット１１の右側部がストッパ２７に対応し、それ以上、画像表示ユニット１１が左側に移動することなく盤収容室６の後部に配置される。
【産業上の利用可能性】
【００２３】
図２に示すように、画像表示ユニット１１がレール８；９に嵌め込まれて可動枠３の後部に取り付けられた場合、図外のねじ釘などの固定具で画像表示ユニット１１を可動枠３またはレール８またはレール９に固定してもよいが、図５または図６に示す形態でもよい。
【００２４】
図５では、盤収容室６の右側面には枠側係合部３５が設けられ、表示容器１３の右側面には表示側係合部３６が設けられる。そして、画像表示ユニット１１が盤収容室６の後部に配置され、枠側係合部３５と表示側係合部３６とが互いに対応した場合において、固定具３７が可動枠３の後方から表示側係合部３６と枠側係合部３５との双方に装着されることによって、固定具３７が閂のように作用して画像表示ユニット１１を可動枠３に固定してもよい。
【００２５】
図６では、固定具３８がレール８の右端部の後壁に固定された弾性体である。固定具３８のレール８よりも右側に突出した端部には、レール８の後壁よりも前側に突出した係合部３９と、縦部の前部から右側に突出した操作部４０とが設けられる。そして、滑動部１４がレール８の左側から挿入される場合、固定具３８の操作部４０および係合部３９が画像表示ユニット１１で後方に押されて撓む。その後、画像表示ユニット１１の右側部が係合部３９を左側に越えることによって、固定具３８の操作部４０および係合部３９が自身の弾性で前側に復元し、係合部３９が画像表示ユニット１１の右側部と対向する。これによって、滑動部１４がストッパ２７と係合部３９とによってレール８から左右方向に抜けなくなり、画像表示ユニット１１が可動枠３に固定される。画像表示ユニット１１を可動枠３から外す場合、作業者が操作部４０を後方に移動して係合部３９をレール８の溝よりも後方に移動したまま画像表示ユニット１１を左から右に移動すればよい。
【００２６】
画像表示ユニット１１を摺接係合するには、図７に示す形態でもよい。つまり、図７のａ図は、レール８；９が盤収容室６の後壁に設けられることによって、レール８；９と盤収容室６の後壁との間に滑動部１４；１５を摺接係合する溝を構成した場合である。図７のｂ図は、レール８の滑動部１４を摺接係合する溝が側面視山形（図７の紙面の表から見た形態）に構成され、レール９の滑動部１５を摺接係合する溝が側面視谷形（ｂ図の紙面の表から見た形態）に構成された場合である。図７のｂ図において、レール８は、図１の構成でもよい。図７のｃ図は、滑動部１４がローラ４１と軸４２とで構成され、滑動部１５がローラ４３と軸４４とで構成された場合である。図７のｃ図において、滑動部１４；１５の一方は図１の構成でもよいが、滑動部１４が図１の構成であれば、ローラ４３の回転によって、画像表示ユニット１１が円滑に左右方向に移動できる。図７のｄ図は、滑動部１４がローラ４１と軸４２とで構成され、レール８がローラ４１を下から支える下支持部４５と画像表示ユニット１１を後方に行かないよう支える後支持部４６とを備え、レール９は、画像表示ユニット１１を後方に行かないよう支える構成である。図７のｅ図は、レール８が突条４７を備え、滑動部１４が突条４７に嵌め込まれて吊り下げられる溝として構成され、レール９は、画像表示ユニット１１を後方に行かないよう支える構成である。図７のｄ図およびｅ図は、画像表示ユニット１１をレール８で吊り下げる構成である。
【００２７】
図１において、図外のタンクおよび図外の払出機構が、盤収容室６の上部に配置され、可動枠３の後部に取り付けられる。図外の上扉および図外の下扉が可動枠３の前部に、図外の左側部に位置するヒンジを中心とし、前方に開かれかつ後方に閉じられるように開閉可能に設けられる。上扉は、パネル枠とも呼ばれ、図外の窓および図外の前パネルを備える。前パネルは透明ガラスなどから構成され、窓を塞ぐように、上扉に取り付けられる。下扉の前部には、図外の受皿や発射操作機構が設けられる。可動枠３が固定枠２に開閉不能に支持され、上扉が可動枠から前方に開かれ、図外の遊技盤が可動枠の前方から盤収容室に収容された後、上扉が可動枠に開閉不能に支持された場合、遊技盤の前面が遊技機枠１の前方から窓および窓パネルを通して視認可能になる。表示容器１３の後壁には、制御装置が単数または複数設けられる。遊技盤には、画像表示ユニット１１の表示画面に表示された画像を遊技機枠１の前方から遊技者に見せるための開口部のような視認領域が設けられることはいうまでもない。
【図面の簡単な説明】
【００２８】
【図１】遊技機枠と画像表示ユニットとの分解斜視図（最良の形態）。
【図２】遊技機枠と画像表示ユニットとの組立斜視図（最良の形態）。
【図３】可動枠およびレールの分解斜視図（最良の形態）。
【図４】レールに対する画像表示ユニットの姿勢制御の模式図（最良の形態）。
【図５】画像表示ユニットを可動枠に固定する部分の斜視図（異なる第１形態）。
【図６】画像表示ユニットを可動枠に固定する部分の平面図（異なる第２形態）。
【図７】画像表示ユニットを摺接係合する部分の側面図（異なる第３形態）。
【図８】画像表示ユニットの遊技機枠への取付装置の斜視図（従来）。
【符号の説明】
【００２９】
１は遊技機枠、２は固定枠、３は可動枠、４はヒンジ、５は発射取付部、６は盤収容室、７は透視開口部、８；９はレール、１０は欠番、１１は画像表示ユニット、１２は画像表示器、１３は表示容器、１４；１５は滑動部、１６はスライド突起、１７はスライド突起、１８は姿勢制御突起、１９はスライド突起、２０はスライド突起、２１は姿勢制御突起、２２乃至２４は欠番、２５は上レール取付部、２６は下レール取付部、２７はストッパ、２８；２９は取付足、３０はねじ釘、３１はストッパ、３２は取付足、３３はねじ釘、３４は欠番、３５は枠側係合部、３６は表示側係合部、３７；３８は固定具、３９は係合部、４０は操作部、４１はローラ、４２は軸、４３はローラ、４４は軸、４５は下支持部、４６は後支持部、４７は突条、４８乃至５０は欠番、５１は遊技機枠、５２は固定枠、５３は可動枠、５４は画像表示収容部、５５は払出ユニット、５６は画像表示ユニット。
【図１】
2009060956.tif 000003
【図２】
2009060956.tif 000004
【図３】
2009060956.tif 000005
【図４】
2009060956.tif 000006
【図５】
2009060956.tif 000007
【図６】
2009060956.tif 000008
【図７】
2009060956.tif 000009
【図８】
2009060956.tif 000010